(57)【特許請求の範囲】
【請求項１】
架線に交流区間と直流区間を有し、この両区間を走行可能な電気鉄道車両システムにおいて、架線から電源を取り込むための集電器と、電源を遮断するために前記集電器に接続された遮断器と、前記集電器，遮断器を介して得られる架線からの電力を交流側と直流側とに切り替える交直切替器と、前記交直切替器の交流出力側に接続された変圧器と、前記変圧器の２次側出力に交流接触器を介して接続され、交流電力を直流電力に変換するコンバータ装置と、前記コンバータ装置の直流出力側に接続されたインバータ装置と、前記交直切替器の直流出力側と前記インバータ装置の直流入力側との間に直列に接続された直流接触器、前記直流接触器と並列に接続される充電抵抗器と補助直流接触器の直列体、及びフィルタリアクトルと、前記インバータ装置の直流入力側の正負両極間に接続されたフィルタコンデンサと、交流電源区間運転時は、前記交流接触器を常時閉じて前記直流接触器は常時開き、直流電源区間運転時は、前記交流接触器を常時開き、インバータ装置を動作させる指令（ゲートスタート指令）が発せられた時のみ前記直流接触器を閉じさせる手段を備え、前記交流電源区間運転から前記直流電源区間運転に切り替える時、前記直流電源区間運転に切り替える前は前記ゲートスタート指令をオフし、前記直列体を介して前記フィルタコンデンサを充電した後、インバータ装置を動作させる前記ゲートスタート指令を発し、前記交流電源区間運転時に開いていた前記直流接触器を閉じることを特徴とする電気車制御装置。
【発明の詳細な説明】
【０００１】
【発明の属する技術分野】
この発明は、電気車制御装置に関し、特に架線から得られる電力が交流である区間と直流である区間とを直通して運転される交直流電気車の制御装置に関する。
【０００２】
【従来の技術】
本発明の図１の構成に類似した公知例としては、特開平6−141404 号公報が挙げられる。特開平6−141404 号公報によれば、交流区間であれば集電器１により架線から集電された交流電力は遮断器２を介した後、交直切替器３にて交流側に接続され、変圧器４で降圧された後交流接触器１１を介してコンバータ装置６に入力され、ここで直流電力に変換してフィルタコンデンサ７を充電し、インバータ装置８にて誘導電動機９を駆動する。このとき、交流接触器１１を閉し、直流接触器１４を開く。
【０００３】
また、直流区間であれば集電された直流電力は、交直切替器３にて直流側に接続された直流接触器１４及びフィルタリアクトル１７を介してフィルタコンデンサ７を充電し、インバータ装置８にて誘導電動機９を駆動する。このとき、交流接触器１１は開き、直流接触器１４は閉じる。
【０００４】
ここで、交流接触器１１と直流接触器１４の動作を考える。
【０００５】
従来の直流電気車の接触器の動作を示す例として、特開昭63−18905 号公報が挙げられる。図２に一般的なインバータ装置を用いた直流電気車の主回路構成を示す。集電器１により取り込まれた直流電力は、直列に接続された遮断器２，直流接触器１４，フィルタリアクトル１７を介してインバータ装置８に供給され誘導電動機９を駆動する。インバータ装置の入力側両極間にはフィルタコンデンサが接続され、負極側は接地ブラシ１０に接続されている。また、直流接触器１４と並列に充電抵抗器１６と補助直流接触器１５の直列体が接続され、フィルタコンデンサ７の充電時には補助直流接触器１５が閉じ、充電抵抗器１６により制限された充電電流で充電される。
【０００６】
特開昭63−18905 号公報によると図２における直流接触器１４の動作は、設定速度より高い条件下で力行オフ又は回生ブレーキゆるめを行った後の惰行状態時には、直流接触器１４を開かずにインバータ装置８のみの運転を停止させておき、再ブレーキ時にはインバータ装置８の運転を開始させるとある。図３に特開昭63−18905 号公報によるノッチ指令や直流接触器１４の動作のタイムチャートを示す。最初の運転時には直流接触器１４は開いている。ここでノッチ指令があるとはじめに補助直流接触器１５を閉じフィルタコンデンサを充電した後、補助直流接触器１５を開き直流接触器１４を閉じてインバータ装置８のゲートがスタートし運転を開始する。
【０００７】
次にノッチ指令がオフし惰行運転に移るときはインバータ装置８のゲートは停止するが直流接触器１４は閉じたままである。そして再度のノッチ指令時には直流接触器１４は既に閉じているので、直ちにインバータ装置８はゲートがスタートし運転を再開する。
【０００８】
このようにインバータ装置８の停止中に直流接触器１４を開放しないことにより、再運転時のフィルタコンデンサ７の充電時間が不要になり、ノッチ指令からインバータ装置の運転開始までの時間を短縮できる。交流電気車における変圧器とコンバータ装置の間に挿入される交流接触器においても同様である。このようなことから、直流電気車，交流電気車共にノッチオフ中においても接触器を閉じておく方式が最近の主流である。
【０００９】
【発明が解決しようとする課題】
しかしながら、交直流電気車が直流区間を走行中において、ノッチオフ時に直流接触器を開かないと直流区間から交流区間に切り替わる際に、直流と交流の境界点にある架線の無電圧区間に進入しても、架線の直流電圧がなくなったことを検知できないという問題がある。
【００１０】
図１に交直流電気車の回路図を示す。集電器１で集電された電力は、車両を駆動するための電力として遮断器２へ接続されると共に、架線の電気方式が交流であるか、直流であるかを検出するために計器用変圧器２１の１次巻線へも接続される。計器用変圧器２１の接地側には第１直流電圧継電器抵抗器２３と第２直流電圧継電器抵抗器２４が直列に接続され接地される。計器用変圧器２１の２次側には交流電圧継電器２２が接続され、第２直流電圧継電器抵抗器２４には並列に直流電圧継電器２５が接続される。
【００１１】
交流区間であれば、計器用変圧器２１の２次側には計器用変圧器２１の巻数比で降圧された架線電圧が発生し、交流電圧継電器２２が動作して架線の電圧が交流であることを検知する。このとき、直流電圧継電器２５には計器用変圧器２１，第１直流電圧継電器抵抗器２３，第２直流電圧継電器抵抗器２４で分圧された電圧が印加されるが、第２直流電圧継電器抵抗器２４の抵抗値より計器用変圧器２１の１次巻線のインピーダンスの方が格段に大きく、第２直流電圧継電器抵抗器２４にはほとんど電圧が発生しない。
【００１２】
直流区間であれば、計器用変圧器２１の１次巻線のインピーダンスは巻線の抵抗分のみになり無視できるほど小さな値になるため、直流電圧継電器２５には第１直流電圧継電器抵抗器と第２直流電圧継電器抵抗器で分圧された電圧が印加され、直流電圧継電器２５が動作して架線の電圧が直流であることを検知する。
【００１３】
交直切替えの際は、無電圧区間に進入する前に乗務員が交直切替えの操作を行うと、まず遮断器２が開放され交直切替器３がこれから進入する電気方式の回路側に転換する。その後、車両が無電圧区間を通過し、新たな電気方式の区間に進入して交直切替器３の接続されている電気方式と、交流電圧継電器２２または直流電圧継電器２５で検出された電気方式が一致すると遮断器２が投入され新たな電気方式での運転が可能となる。ここで、直流区間から交流区間に進入する際に、乗務員が交直切替えの操作を失念すると回路を切り替えないままで交流区間に進入してしまうため、無電圧区間に進入し直流電圧継電器２５が直流電圧がないことを検知したら遮断器２を開放するシーケンスが組まれている。
【００１４】
図１において直流区間走行中は、交直切替器３は直流接触器１４側に接続されていて、集電器１から集電された電力は遮断器２，交直切替器３，直流接触器  １４、及びフィルタリアクトル１７を介してフィルタコンデンサ７を充電し、インバータ装置８へ供給される。
【００１５】
ここで、惰行中においても直流接触器１４を開かないと、上述の直流から交流へ転換する際に乗務員が交直切替えの操作を失念して無電圧区間に進入したときに、フィルタコンデンサ７に充電されている電荷がフィルタリアクトル１７，直流接触器１４，交直切替器３，遮断器２を介して逆流し、直流電圧継電器２５を動作させ無電圧区間に進入したことを検出できなくなり、直流回路のままで交流区間に進入して機器を破損することになってしまう。
【００１６】
【課題を解決するための手段】
上記問題点を解決するため、交流電源区間運転時は、交流接触器を常時閉じて直流接触器は常時開き、直流電源区間運転時は、交流接触器を常時開き、インバータ装置を動作させる指令（ゲートスタート指令）が発せられた時のみ直流接触器を閉じさせる手段を備え、交流電源区間運転から直流電源区間運転に切り替える時、直流電源区間運転に切り替える前はゲートスタート指令をオフし、充電抵抗器と補助直流接触器の直列体を介してフィルタコンデンサを充電した後、インバータ装置を動作させるゲートスタート指令を発し、交流電源区間運転時に開いていた直流接触器を閉じる。
【００１７】
これにより、直流区間ではインバータ装置の動作が停止したことで直流接触器１４を開くことによって、無電圧区間に進入し架線電圧がなくなったことを検出でき交流区間に進入する前に遮断器３を開き機器を保護することができる。
【００１８】
また、万一インバータ動作中に無電圧区間に進入しても、力行動作中であればフィルタコンデンサ７への電力の供給が途絶えるためにフィルタコンデンサ７の電圧が急速に低下して、あらかじめセットした電圧まで低下すれば低電圧検知の保護動作が動作してインバータ装置の動作を停止し、直流接触器１４を開くことができる。
【００１９】
回生ブレーキ動作中であれば架線に回生電力を戻せなくなるためフィルタコンデンサ７の電圧が急速に上昇し、過電圧検知の保護動作が動作してインバータ装置の動作を停止し、直流接触器１４を開くことができる。なお、交流区間では、コンバータ装置６側から交流電圧継電器２２を逆加圧することはないため、交流接触器１１が閉じていても無電圧区間に進入して架線電圧がなくなったことを検出できる。
【００２０】
【発明の実施の形態】
以下、本発明の実施形態を図面を用いて説明する。
【００２１】
図４は本発明による交直流電気車の詳細な回路図である。本発明の特徴である交流接触器１１や直流接触器１４の動作を図５を用いて説明する。
【００２２】
車両の運転を開始する前は交流接触器１１，補助交流接触器１２，直流接触器１４，補助直流接触器１５はいずれも開いている。
【００２３】
交流区間においては、最初のノッチ投入によりまず補助交流接触器１２を閉じ、充電抵抗器１３で制限された充電電流が単相ＰＷＭコンバータ３０に流れ込む。単相ＰＷＭコンバータ装置３０では各アームのＩＧＢＴ３１〜３４と並列に接続されたフリーホイールダイオード３５〜３８にて整流されフィルタコンデンサ７を充電する。フィルタコンデンサ７が充電されたことで補助交流接触器１２を開き、交流接触器１１を閉じて単相ＰＷＭコンバータ装置３０がゲートスタートし、その後インバータ装置８がゲートスタートする。
【００２４】
ノッチオフ時にはインバータ装置８及び単相ＰＷＭコンバータ装置３０のゲートがストップするのみである。そして、再度のノッチ投入時には既に交流接触器１１が投入されているので、フィルタコンデンサ７の充電時間が不要となり、直ちに単相ＰＷＭコンバータ装置３０、及びインバータ装置８がゲートスタートする。
【００２５】
直流区間においては、最初のノッチ投入によりまず補助直流接触器１５を閉じ、充電抵抗器１６で制限された電流がフィルタリアクトル１７を介してフィルタコンデンサ７を充電する。フィルタコンデンサ７が充電されたことで補助直流接触器１５を開き、直流接触器１４を閉じてインバータ装置８がゲートスタートする。
【００２６】
ノッチオフ時にはインバータ装置８のゲートがストップし、その後直流接触器１５を開く。これにより、乗務員が交直切替えの操作を失念したまま無電圧区間に進入したときに、直流電圧継電器２５にフィルタコンデンサ７の電圧が逆加圧されず、架線の電圧がなくなったことを検知して遮断器２を開くことにより、回路が直流区間の状態のまま交流区間に進入し機器を破損することを防止することができる。
【００２７】
再度のノッチ投入時には、最初のノッチ投入時と同様にまず補助直流接触器
１５を閉じ、フィルタコンデンサ７が充電された後に補助直流接触器１５を開き直流接触器１４を閉じてインバータ装置８がゲートスタートする。
【００２８】
【発明の効果】
以上説明したように、本発明によれば交直流電気車が直流区間から交流区間に進入する際に乗務員が交直切替えを失念しても、無電圧区間に進入して架線に直流電圧がなくなったことを検知して遮断器を開くことにより、回路が直流区間の状態のまま交流区間に進入して機器を破損することを防止することができる。
【図面の簡単な説明】
【図１】本発明に基づく実施例の交直流電気車の回路図。
【図２】従来の直流電車の回路図。
【図３】従来の直流電車の接触器等の動作のタイムシーケンス。
【図４】本発明に基づく実施例の交直流電気車の詳細な回路図。
【図５】本発明に基づく接触器等の動作のタイムシーケンス。
【符号の説明】
１…集電器、２…遮断器、３…交直切替器、４…変圧器、６…コンバータ装置、７…フィルタコンデンサ、８…インバータ装置、９…誘導電動機、１０…接地ブラシ、１１…交流接触器、１２…補助交流接触器、１３…充電抵抗器、１４…直流接触器、１５…補助直流接触器、１６…充電抵抗器、１７…フィルタリアクトル、２１…計器用変圧器、２２…交流電圧継電器、２３…第１直流電圧継電器抵抗器、２４…第２直流電圧継電器抵抗器、２５…直流電圧継電器、３１〜３４…ＩＧＢＴ、３５〜３８…フリーホイールダイオード。
【図１】
0003677534.tif 000002
【図２】
0003677534.tif 000003
【図３】
0003677534.tif 000004
【図４】
0003677534.tif 000005
【図５】
0003677534.tif 000006